(57)【要約】【課題】巻芯把持装置において、ラグを一様に円周方向に張り出させ、巻芯の調芯性を作り出すと共に、ゴムバンドを利用して巻芯とラグのトルク伝達力を高め、かつラグの復帰をゴムバンドの復元力により容易ならしめる。【解決手段】ウエブを巻取る又は巻出すロールの巻芯を把持し、巻芯に回転及びトルクを与える巻芯把持装置において、該巻芯把持装置を外周に中心から放射状に複数の扇形状に分割配置され、軸方向に作用する勾配カム４のスライドによって一様に張り出すラグ２として構成すると共に、該ラグ２の外周外側に復元力を有する輪状ゴムバンド３を装着して巻芯１とラグ２のトルク伝達力を高め、かつゴムの復元力によりラグ２の軸中心方向への復帰を容易にした。    【選択図】    図１
0003105268.tif 000002
【実用新案登録請求の範囲】
【請求項１】
ウエブを巻取る又は巻出すロールの巻芯を把持し、巻芯に回転及びトルクを与える巻芯把持装置であって、該巻芯把持装置は外周に中心から放射状に複数の扇形状に分割配置され、軸方向に作用する勾配カムのシリンダーによる軸方向のスライドによって一様に外側に張り出すラグが形成されていると共に、該ラグの外周外側には復元力を有する輪状ゴムバンドが装着されていることを特徴とする巻芯把持装置。
【考案の詳細な説明】
【技術分野】
【０００１】
本考案は巻取装置，巻出装置において、巻取ロール，巻出ロールの巻芯を把持し回転及びトルクを与える巻芯把持装置に関するものである
【背景技術】
【０００２】
巻取装置，巻出装置において、巻取ロールと巻出ロールの巻芯を把持して、回転及びトルクを与える巻芯把持装置は従来より種々の型式のものが知られており、夫々状況に応じて使用されているが、一般的な方式のトルク伝達には、例えば図３に示すように外周を複数に分割してラグ２を形成し、回転軸に繋がった勾配カム４´の回転トルクによりラグ２を円周方向外側に張り出して巻芯を把持するものや、図４に示すように複数分割位置に巻芯１側へ突出するラグ２を有して、該ラグ２を突出させて巻芯を把持するものがある。
【考案の開示】
【考案が解決しようとする課題】
【０００３】
しかし、上記勾配カムの回転トルクによりラグを押し上げるときは、回転トルクに概ね比例したトルクしか伝達できず、低トルク時に巻芯とラグが滑り、巻芯に正常な回転を与えることが困難であったのみならず、突出するラグを有するものでは軸の回転を止めても巻芯とラグの作用点でロック現象が起こり、巻芯とログが噛み込んで巻芯を外す時に復元しないトラブルが多く発生していた。
【０００４】
本考案は上述の如き実状に対処し、特に輪状ゴムバンドを併用することにより、該ゴムバンドの復元力により容易にラグを復元させることを目的とするものである。
【課題を解決するための手段】
【０００５】
即ち、上記目的を達成する本考案の特徴は、ウエブを巻取る又は巻出するロールの巻芯を把持し、巻芯に回転及びトルクを与える巻芯把持装置であって、外周に中心から放射状に複数の扇形状に分割配置され、軸方向に作用する勾配カムのスライドによって一様に円周方向の外側に張り出すラグが形成されていると共に、該ラグの外周外側には復元力を有する輪状ゴムバンドが装着されてなる構成にある。
【０００６】
この巻芯把持装置は、その中心から放射状に配置された複数の扇形状ラグが円周方向の外側に張り出し、巻芯との間に摩擦を与えトルクを伝達する。
【０００７】
このとき、各ラグは一様に円周方向の外側に張り出し巻芯の調芯性を作り出す。
【０００８】
また、張り出したラグは扇形状で広い外周面を持ち巻芯の内周面に広く作用し、トルク伝達を有利にする。
【０００９】
そして、輪状のゴムバンドは巻芯とラグのトルク伝達力を高めると共にシリンダーが復帰するとき、ラグもゴムバンドの復元力により軸中心方向に容易に復帰する。
【考案の効果】
【００１０】
本考案の巻芯把持装置を使用することにより、従来方式の軸の回転を止めた場合に比し積極的に勾配カムをシリンダーが復帰させると共に、ゴムバンドの復元力により容易にラグを復帰させ、カムとラグ部分の噛み込みを生ずることもなくなり、巻芯の把持及び復帰をより円滑ならしめることができる。
【考案を実施するための最良の形態】
【００１１】
以下、本考案巻芯把持装置の具体的な実施形態を添付図面、図１〜図２にもとづいて説明する。
【００１２】
図１は本考案に係る巻芯把持装置の１例を示し、図２は巻芯把持の状態を示す要部断面図である。
【００１３】
これら図において、１はウエブを巻取る、又は巻出すロールの巻芯、２は該巻芯１に回転及びトルクを与えるための巻芯把持装置のラグであり、図２に示すように中心から放射状に複数の扇形状に分割配置されたセグメントよりなり、その内周が既知のエアーシリンダー５により軸方向にスライドするスライド軸６の先端に形成された勾配カム４の外周に接し、スライド軸６の軸方向スライドにより各ラグ２が勾配カム４により外側に張り出され、また内方に退去するようになっている。なお、７は圧縮コイルばねである。
【００１４】
この構成では特に従来方式によりカムの回転トルクによりラグを押し上げ、ラグの外周で巻芯を把持するときは前述のような低トルク時に巻芯とラグが滑り、巻芯に正常な回転を与えることが困難であるため、上述の如く空気，油など流体を用いたシリンダー５が用いられ、シリンダーにより軸方向に作用する勾配カム４がラグ２を円周方向の外側に張り出させ、軸の回転トルクの強弱に関係なく巻芯１にトルクを伝達するようになっている。
【００１５】
しかも、本考案においては上記勾配カム４をシリンダー５が復帰させるのに加え、更に輪状のゴムバンド３をラグ２の外周に装着し、ゴムバンド３により巻芯１とラグ２のトルク伝達力を高めると共に、その復元力により容易かつ円滑にラグ２を復帰させるように構成している。
【００１６】
なお、このときゴムバンド３外周面に凹凸溝加工を施しておくことによりトルク伝達により効果的である。
【００１７】
ゴムバンド３は輪状であることが好ましく、その復元力は随時、カム４による外方への張り出し状況に応じ選択される。
【００１８】
この場合、図４に示す如くラグ２´が比較的細巾で、部分的に突出する形態である場合には、該ラグ２´が巻芯に食い込んで傷を付けることや、薄い肉厚の巻芯においては変形させることがあり、巻芯を取り外すときに復元しないトラブルの発生が起こり易いことを考えれば、ラグの巻芯への作用面は可及的広くすることが好適であり、図２に示す本考案実施態様においては断面扇形状の広い作用面をもつラグ２として構成されている。
【００１９】
かくして本考案においては、勾配カム４が軸方向に作用し、扇形状のラグ２を一様に外側に張り出させ、巻芯の調芯性を作り出すと共に、張り出しているラグ２は扇形状の比較的広い作用面をもって巻芯の内周面に広く作用し、トルク伝達を有利とし、巻芯把持を確実にする。
【００２０】
しかも、張り出しているラグ２は外側に掛かっているゴムバンド３の復元力によりシリンダー復帰に伴う軸中心方向への復帰を円滑ならしめる。
【図面の簡単な説明】
【００２１】
【図１】本考案に係る巻芯把持装置の要部内部構造を示す正面図である。
【図２】巻芯とラグの圧接状況を示す側面概要図である。
【図３】従来方式の１例に係る巻芯とラグの作用態様を示す説明図である。
【図４】従来方式の他の例に係る巻芯とラグの作用態様を示す説明図である。
【符号の説明】
【００２２】
１：巻芯
２：ラグ
３：ゴムバンド
４：勾配カム
５：シリンダー
６：カム軸
【図１】
0003105268.tif 000003
【図２】
0003105268.tif 000004
【図３】
0003105268.tif 000005
【図４】
0003105268.tif 000006